(57)【要約】【課題】  スイッチの機能を簡略化し、操作性を向上させる。【解決手段】  タッチタブレット６Ａまたはペン型指示装置４６の操作に基づいて、情報を記録する記録モードと、情報を再生する再生モードとが切り換えられる。記録モードにおいては、録音スイッチ１２は、マイクロホン８より入力された音声のメモリカード２４への記録の開始を指示する機能を有している。再生モードにおいては、録音スイッチ１２が、メモリカード２４に記録された音声データの再生の開始を指示するスイッチ（再生スイッチ）として機能する。【選択図】図４
2005065333.tif 000002
【特許請求の範囲】
【請求項１】
少なくとも、所定の情報を記録することが可能なモードと、記録された前記情報を再生することが可能なモードとを有する情報処理装置において、
所定の被写体の画像を撮像する撮像手段と、
所定の音声を入力する音声入力手段と、
前記撮像手段により撮像された前記画像に対応する情報、および前記音声入力手段により入力された前記音声に対応する情報を記憶する記憶手段と、
前記モードを切り換えるモード切り換え手段と、
前記音声入力手段により入力された前記音声に対応する情報の前記記憶手段への記録を行うとともに、前記記憶手段に記憶された前記音声に対応する情報の再生を行う記録再生手段と、
前記記録再生手段に、前記音声入力手段により入力された前記音声に対応する情報の前記記憶手段への記録の開始を指示するとともに、前記記憶手段に記憶された前記音声に対応する情報の再生の開始を指示する指示手段と
を備え、
前記指示手段は、前記モード切り換え手段により、前記情報を記録可能なモードに切り換えられている場合において操作されたとき、前記音声入力手段により入力された前記音声に対応する情報の前記記憶手段への記録の開始を指示し、前記モード切り換え手段により、記録された前記情報を再生可能なモードに切り換えられている場合において操作されたとき、前記記憶手段に記憶された前記音声に対応する情報の再生の開始を指示する
ことを特徴とする情報処理装置。
【発明の詳細な説明】
【技術分野】
【０００１】
本発明は、情報処理装置に関し、例えば、被写体の画像をディジタルデータに変換して記録する電子カメラ等に用いて好適な情報処理装置に関する。
【背景技術】
【０００２】
近年、フィルムを使用したカメラに代わって、ＣＣＤ等を用いて被写体の画像を撮影し、それをディジタルのデータに変換して内蔵するメモリや、着脱可能なメモリカード等に記録する電子カメラが用いられるようになってきている。この電子カメラを用いて撮影した画像は、従来のカメラのように現像、焼き付けを経ることなく、即座に再生し、ＬＣＤ等の画面に表示することができる。
【０００３】
このような電子カメラにおいては、画像を記録する場合、記録モードに設定し、画像を再生する場合、再生モードに設定するための設定スイッチを電源スイッチとは別に設けたものや、電源スイッチに記録モードと再生モードを切り換える機能を付加したものがある。例えば、電源スイッチを中央に移動させると電源がオフにされ、電源スイッチを左端に移動させると記録モードになり、電源スイッチを右端に移動させると再生モードになる。
【発明の開示】
【発明が解決しようとする課題】
【０００４】
しかしながら、電源スイッチとは別に記録モードおよび再生モードを設定する設定スイッチを設けると、所定の被写体を撮影したい場合、まず電源スイッチを入れてから、設定スイッチを操作して記録モードに設定する必要があり、撮影チャンスや録音チャンスを逃す場合がある課題があった。
【０００５】
また、電源スイッチが記録モードと再生モードの設定を行う設定スイッチを兼ねている場合、所定の被写体を撮影しようとしたとき、操作ミスをして再生モードを設定してしまい、撮影チャンスや録音チャンスを逃す場合がある課題があった。
【０００６】
さらに、急遽記録モードに設定し、撮影を行おうとしたとき、ストロボの充電が間に合わず、撮影チャンスを逃してしまう場合がある。そこで、再生モードにおいてもストロボの充電を行うようにすることも考えられるが、そのようにするとバッテリの消耗が早くなる課題があった。
【０００７】
本発明はこのような状況に鑑みてなされたものであり、設定スイッチの機能を簡素化し、操作性を向上させることができるようにするものである。
【課題を解決するための手段】
【０００８】
請求項１に記載の情報処理装置は、所定の被写体の画像を撮像する撮像手段（例えば、図１の撮影レンズ３、図３のＣＣＤ２０））と、所定の音声を入力する音声入力手段（例えば、図１のマイクロホン８）と、撮像手段により撮像された画像に対応する情報、および音声入力手段により入力された音声に対応する情報を記憶する記憶手段（例えば、図３のメモリカード２４）と、モードを切り換えるモード切り換え手段（例えば、図３のタッチタブレット６Ａ、図４のペン型指示装置４６）と、音声入力手段により入力された音声に対応する情報の記憶手段への記録を行うとともに、記憶手段に記憶された音声に対応する情報の再生を行う記録再生手段（例えば、図４のＤＳＰ３３）と、記録再生手段に、音声入力手段により入力された音声に対応する情報の記憶手段への記録の開始を指示するとともに、記憶手段に記憶された音声に対応する情報の再生の開始を指示する指示手段（例えば、図２の録音スイッチ１２）とを備え、指示手段は、モード切り換え手段により、情報を記録可能なモードに切り換えられている場合において操作されたとき、音声入力手段により入力された音声に対応する情報の記憶手段への記録の開始を指示し、モード切り換え手段により、記録された情報を再生可能なモードに切り換えられている場合において操作されたとき、記憶手段に記憶された音声に対応する情報の再生の開始を指示することを特徴とする。
【０００９】
請求項１に記載の情報処理装置においては、撮像手段が、所定の被写体の画像を撮像し、音声入力手段が、所定の音声を入力し、記憶手段が、撮像手段により撮像された画像に対応する情報、および音声入力手段により入力された音声に対応する情報を記憶し、記録再生手段が、モードを切り換えるモード切り換え手段と、音声入力手段により入力された音声に対応する情報の記憶手段への記録を行うとともに、記憶手段に記憶された音声に対応する情報の再生を行い、指示手段が、記録再生手段に、音声入力手段により入力された音声に対応する情報の記憶手段への記録の開始を指示するとともに、記憶手段に記憶された音声に対応する情報の再生の開始を指示し、指示手段は、モード切り換え手段により、情報を記録可能なモードに切り換えられている場合において操作されたとき、音声入力手段により入力された音声に対応する情報の記憶手段への記録の開始を指示し、モード切り換え手段により、記録された情報を再生可能なモードに切り換えられている場合において操作されたとき、記憶手段に記憶された音声に対応する情報の再生の開始を指示する。従って、情報を記録可能なモードと、情報を再生可能なモードにおいて、指示手段が異なる指示を行うようにすることができる。
【発明の効果】
【００１０】
本発明の情報処理装置よれば、指示手段は、モード切り換え手段により、情報を記録可能なモードに切り換えられている場合において操作されたとき、音声入力手段により入力された音声に対応する情報の記憶手段への記録の開始を指示し、モード切り換え手段により、記録された情報を再生可能なモードに切り換えられている場合において操作されたとき、記憶手段に記憶された音声に対応する情報の再生の開始を指示するようにしたので、情報を記録可能なモードと、情報を再生可能なモードにおいて、指示手段が異なる指示を行うようにすることができる。従って、操作部材を簡略化することができ、操作性を向上させることができる。
【００１１】
また、本発明の情報処理装置によれば、モード切り換え手段は、指示手段により電力供給が指示されると、入力手段により入力された情報を記憶手段に記憶可能な第１モードに切り換えるようにしたので、電源を入れると、自動的に情報を記憶可能なモードになるようにすることができ、情報を記憶させたいとき、すぐにそれを記憶させることが可能となる。
【００１２】
さらに本発明の情報処理装置によれば、入力駆動手段の駆動により入力された情報を記憶手段に記憶可能な第１モードと、記憶手段に記憶された情報を再生可能な第２モードのうち、切り換え手段により、第２モードに切り換えられたとき、情報を入力するために駆動される入力駆動手段の駆動を停止するようにしたので、第１モードにあるときだけ、入力駆動手段が駆動するようにすることができ、電源手段の電力の無駄な消費を抑制するとともに、第１モードに切り換えられたとき、迅速に情報を記憶させることが可能となる。
【発明を実施するための最良の形態】
【００１３】
図１および図２は、本発明を適用した電子カメラの一実施例の構成を示す斜視図である。説明の便宜上、被写体を撮影する場合において、電子カメラ１を構成する６つの面のうち、被写体に向けられる面を面Ｘ１とし、ユーザ側に向けられる面を面Ｘ２とする。面Ｘ１の上端部には、被写体の撮影範囲の確認に用いられるファインダ２、被写体の光画像を取り込む撮影レンズ３、被写体を照明する光を発光する発光部（ストロボ）４、および赤目現象を抑制するための赤目軽減ランプ４４が設けられている。
【００１４】
一方、面Ｘ１に対向する面Ｘ２の上端部（面Ｘ１のファインダ２、撮影レンズ３、および発光部４が形成されている上端部に対応する位置）には、上記ファインダ２、およびスピーカ５が設けられ、スピーカ５は、電子カメラ１が内蔵するメモリカード等に記録されている音声データに対応する音声を出力するようになされている。また、面Ｘ２上に形成されているＬＣＤ６および操作キー７は、ファインダ２、撮影レンズ３、発光部４、およびスピーカ５よりも、鉛直下側に配置されている。また、ＬＣＤ６の表面上には、所定のペン型指示装置（以下、適宜ペンと略記する）４６の接触操作によって指示された位置に対応する位置データを出力する、いわゆるタッチタブレット６Ａが形成されている。
【００１５】
このタッチタブレット６Ａは、ガラス、樹脂等の透明な材料によって構成されており、ユーザは、タッチタブレット６Ａの内側に形成されているＬＣＤ６に表示される画像を、タッチタブレット６Ａを介して観察することができるようになっている。
【００１６】
操作キー７は、後述するように各種の機能に対応した複数のキーによって構成されており、ペン型指示装置４６により操作され、内蔵するメモリカード等に記録した画像データ、音声データ、あるいはテキストデータ等の記録データを再生し、ＬＣＤ６に表示する場合などに用いられる。例えば、メニューキー７Ａは、ＬＣＤ６上にメニュー画面を表示させるとき、操作される。実行キー７Ｂは、ユーザによって選択された記録データを再生するとき、操作される。
【００１７】
また、クリアキー７Ｃは、記録データを削除するとき、操作される。キャンセルキー７Ｄは、記録データの再生処理を中断するとき、操作される。スクロールキー７Ｅは、ＬＣＤ６に記録データの一覧が表示されている場合において、画面を上下方向にスクロールさせるとき、操作される。
【００１８】
この電子カメラ１の上面である面Ｚには、音声を集音するマイクロホン（マイク）８、および図示せぬイヤホンを接続するためのイヤホンジャック９が設けられている。
【００１９】
左側面（面Ｙ１）には、被写体を撮影するときに操作されるレリーズスイッチ１０、および電源のオン／オフを切り替える電源スイッチ１１が設けられている。このレリーズスイッチ１０、および電源スイッチ１１は、面Ｘ１の上端部に設けられているファインダ２、撮影レンズ３、および発光部４よりも鉛直下側に配置されている。
【００２０】
一方、面Ｙ１に対向する面Ｙ２（右側面）には、音声を録音するときに操作される録音スイッチ１２と、撮影時の連写モードを切り換えるときに操作される連写モード切り換えスイッチ１３が設けられている。この録音スイッチ１２および連写モード切り換えスイッチ１３は、上記レリーズスイッチ１０および電源スイッチ１１の場合と同様に、面Ｘ１の上端部に設けられているファインダ２、撮影レンズ３、および発光部４よりも鉛直下側に配置されている。また、録音スイッチ１２は、面Ｙ１のレリーズスイッチ１０とほぼ同じ高さに配置されており、左右どちらの手で持っても、違和感がないようになっている。
【００２１】
なお、レリーズスイッチ１０の高さと、録音スイッチ１２の高さを、あえて異ならせるようにし、例えば、一方のスイッチだけを指で押した場合に、この押圧力によって発生するモーメントを打ち消すために、同時に反対側の側面を指で保持したとき、反対側の側面に設けられたスイッチを誤って押してしまわないようにすることができる。
【００２２】
上記連写モード切り換えスイッチ１３は、ユーザがレリーズスイッチ１０を押して被写体を撮影するとき、被写体を１コマだけ撮影するのか、または、所定の複数コマを連続して撮影するのかを設定する場合に用いられる。例えば、連写モード切り換えスイッチ１３の指針が「Ｓ」と印刷された位置に切り換えられている（すなわち、Ｓモードに切り換えられている）場合において、レリーズスイッチ１０が押されると、１コマだけ撮影が行われる。
【００２３】
また、連写モード切り換えスイッチ１３の指針が「Ｌ」と印刷された位置に切り換えられている（すなわち、Ｌモードに切り換えられている）場合において、レリーズスイッチ１０が押されると、レリーズスイッチ１０が押されている間、例えば、１秒間に８コマの割合で撮影が行われる。すなわち、低速連写モードによる撮影が行われる。
【００２４】
さらに、連写モード切り換えスイッチ１３の指針が「Ｈ」と印刷された位置に切り換えられている（すなわち、Ｈモードに切り換えられている）場合において、レリーズスイッチ１０が押されると、レリーズスイッチ１０が押されている間、例えば、１秒間に３０コマの割合で撮影が行われる。すなわち、高速連写モードでの撮影が行われる。
【００２５】
次に、電子カメラ１の内部の構成について説明する。図３は、図１および図２に示す電子カメラの内部の構成例を示す斜視図である。ＣＣＤ２０は、撮影レンズ３の後段（面Ｘ２側）に設けられており、撮影レンズ３を介して結像する被写体の光画像を対応する電気信号（画像信号）に光電変換して出力するようになされている。
【００２６】
ＬＣＤ６の鉛直下側には、例えば、円柱形状の４本のバッテリ（例えば単３の乾電池）２１が並べて配置されており、このバッテリ２１に蓄積されている電力が各部に供給される。また、発光部４が発光するとき必要とされる電荷を蓄積するコンデンサ２２が、バッテリ２１と並べて配置されている。
【００２７】
回路基板２３には、この電子カメラ１の各部を制御する、種々の制御回路が形成されている。また、回路基板２３と、ＬＣＤ６およびバッテリ２１の間には、挿抜可能なメモリカード（記録媒体）２４が設けられており、電子カメラ１に入力される各種の情報がメモリカード２４の予め設定された各領域に記録される。
【００２８】
なお、本実施例においては、メモリカード２４は挿抜可能とされているが、回路基板２３上にメモリを設け、そのメモリに各種情報を記録可能とするようにしてもよい。さらに、メモリカード（またはメモリ）２４に記録されている各種情報を、入出力ポート２５を介して外部のパーソナルコンピュータ等に出力させるようにすることも可能である。
【００２９】
次に、本実施例の電子カメラ１の内部の電気的構成例を、図４に示したブロック図を参照して説明する。複数の画素を備えているＣＣＤ２０は、各画素に結像した光画像を画像信号（電気信号）に光電変換するようになされている。ＣＣＤ駆動回路３９は、後述するディジタルシグナルプロセッサ（以下、ＤＳＰという）３３に制御され、ＣＣＤ２０を駆動するようになされている。レンズ駆動回路３０は、撮影レンズ３を光軸方向に移動させ、フォーカシング制御等を行うようになされている。
【００３０】
画像処理部３１は、相関二重サンプリング回路（以下、ＣＤＳという）およびＡＧＣ（自動利得制御回路）等により構成され、ＣＤＳは、ＣＣＤ２０が光電変換した画像信号を所定のタイミングでサンプリングするようになされている。ＡＧＣは、ＣＤＳによりサンプリングされた信号の利得（ゲイン）を制御するようになされている。アナログ／ディジタル変換回路（以下、Ａ／Ｄ変換回路という）３２は、画像処理部３１のＣＤＳによってサンプリングされた画像信号をディジタル化してＤＳＰ３３に供給するようになされている。
【００３１】
ＤＳＰ３３は、ディジタル化された画像データをバッファメモリ３５に一旦供給し、記憶させる。そして、バッファメモリ３５に記憶された画像データを読み出し、例えば、後述するＪＰＥＧ（Joint Photographic Experts Group）方式等で圧縮した後、データバス４８を介してメモリカード２４に供給し、所定の領域（画像記録領域）に記録させるようになされている。
【００３２】
また、ＣＰＵ３６は、タイマ４５から時刻を取得し、撮影した日時の情報を画像データのヘッダ情報として、メモリカード２４の画像記録領域に記録するようになされている。すなわち、メモリカード２４の画像記録領域に記録される画像データには、撮影日時のデータが付加される。
【００３３】
マイクロホン（マイク）８は音声を入力し、その音声に対応する音声信号をＡ／Ｄ−Ｄ／Ａ変換器３８に供給するようになされている。Ａ／Ｄ−Ｄ／Ａ変換器３８は、供給された音声信号をディジタルの音声データに変換し、ＤＳＰ３３に供給するようになされている。ＤＳＰ３３は、Ａ／Ｄ−Ｄ／Ａ変換器３８より供給された音声データを圧縮した後、メモリカード２４に供給し、所定の領域（音声記録領域）に記録させるようになされている。また、このとき、メモリカード２４の音声記録領域には、録音日時のデータが音声データのヘッダ情報として記録されるようになされている。
【００３４】
また、ストロボ駆動回路４１は、ＣＰＵ３６により制御され、ストロボ（発光部）４を駆動するようになされている。ストロボ４は、ストロボ駆動回路４１により駆動され、所定のタイミングで発光し、被写体に対して光を照射するようになされている。充電電圧検出回路５３は、ストロボ駆動回路４１を構成するコンデンサ２２の電圧値を検出し、検出した電圧値に対応する信号をＣＰＵ３６に供給するようになされている。
【００３５】
赤目軽減ランプ駆動回路４３は、ＣＰＵ３６によって制御され、赤目軽減ランプ４４を駆動するようになされている。赤目軽減ランプ４４は、赤目軽減ランプ駆動回路４３によって駆動され、所定のタイミングで発光するようになされている。
【００３６】
ユーザが操作するペン型指示装置４６によって、タッチタブレット６Ａの所定の位置が押圧されると、ＣＰＵ３６は、タッチタブレット６Ａの押圧された位置に対応するＸＹ座標を読み取り、その座標データ（後述する線画情報を構成する）を図示せぬ所定のメモリに蓄積するようになされている。また、ＣＰＵ３６は、メモリに蓄積した線画情報を、線画情報を入力した日時等のヘッダ情報とともに、メモリカード２４に供給し、線画情報記録領域に記録させるようになされている。
【００３７】
ＣＰＵ３６には、ＣＰＵ制御バス４９を介してバッファメモリ３５とフレームメモリ４７が接続されており、フレームメモリ４７にはＬＣＤ６が接続されている。そして、バッファメモリ３５に記憶されている画像データに対応する画像を、フレームメモリ４７を介してＬＣＤ６に表示することができるようになされている。但し、圧縮処理を受けた画像データは、一旦、ＤＳＰ３３によって伸長されてからデータバス４８を介してバッファメモリ３５に供給されるようになされている。
【００３８】
また、Ａ／Ｄ−Ｄ／Ａ変換器３８には、スピーカ５が接続されており、メモリカード２４より読み出された音声データは、ＤＳＰ３３によって伸張され、Ａ／Ｄ−Ｄ／Ａ変換器３８によりアナログの音声信号に変換された後、スピーカ５より出力されるようになされている。検出回路４０は、バッテリ２１の電圧値を検出し、検出した電圧値に対応するデータをＣＰＵ３６に供給するようになされている。
【００３９】
また、操作キー７、および図１乃至図３におけるレリーズスイッチ１０、電源スイッチ１１、録音スイッチ１２、および連写モード切り替えスイッチ１３等の各スイッチが操作されると、対応する信号がＣＰＵ３６に供給されるようになされている。そして、ＣＰＵ３６は、操作キー７または各スイッチが操作されたとき、対応する所定の処理を実行するようになされている。
【００４０】
ファインダ表示回路５１は、ファインダ２内に設けられたファインダ表示素子５２を制御し、例えば、現在、設定されているシャッタ速度や絞り値、合焦しているか否かを示す情報、ストロボ４を使用できるか否かを示す情報（コンデンサ２２の充電電圧が所定値であるか否か）等の情報を文字や図形で表示し、ユーザに知らせるようになされている。
【００４１】
インタフェース５０は、入出力ポート２５を介して外部機器との間でデータの入出力を行うようになされている。
【００４２】
次に、その動作について説明する。最初に、上記実施例における音声の入出力処理について説明する。図１に示す電源スイッチ１１が「ＯＮ」と印刷されている側に切り換えられ、電子カメラ１に電源が投入され、面Ｙ２に設けられている録音スイッチ１２が押されると、録音処理（音声の入力とその記録を行う処理）が開始される。即ち、マイクロホン８を介して入力された音声は、Ａ／Ｄ−Ｄ／Ａ変換器３８によって、ディジタルの音声データに変換され、ＤＳＰ３３において圧縮処理が施された後、メモリカード２４に供給され、メモリカード２４の音声記録領域に記録される。このとき、メモリカード２４の音声記録領域には、録音日時等のデータが、圧縮された音声データのヘッダ情報として記録される。このような動作が、例えば、録音スイッチ１２を押圧している間、繰り返し実行される。あるいは、録音スイッチ１２を押した後、所定の時間だけ繰り返し実行される。
【００４３】
なお、音声の圧縮方法としては、ＰＣＭ（Pulse Code Modulation）方式、その他の方法を用いることができる。
【００４４】
次に、被写体を撮影する場合の動作について説明する。最初に、面Ｙ２に設けられている連写モード切り換えスイッチ１３が、Ｓモード（１コマだけ撮影を行うモード）に切り換えられている場合について説明する。まず、図１に示したように、面Ｙ１側に設けられた電源スイッチ１１を「ＯＮ」と印刷されている側に切り換えて、電子カメラ１に電源を投入する。ファインダ２で被写体を確認し、面Ｙ１に設けられているレリーズスイッチ１０を押すと、被写体の撮影処理が開始される。
【００４５】
ファインダ２で観察される被写体の光画像が撮影レンズ３によって集光され、複数の画素を備えるＣＣＤ２０に結像する。ＣＣＤ２０に結像した被写体の光画像は、各画素において画像信号に光電変換され、画像処理部３１を構成するＣＤＳによってサンプリングされる。ＣＤＳによってサンプリングされた画像信号は、画像処理部３１を構成するＡＧＣにおいてそのゲインが制御された後、Ａ／Ｄ変換回路３２に供給され、そこでディジタル化されてＤＳＰ３３に供給される。
【００４６】
ＤＳＰ３３は、ディジタル化された画像データをバッファメモリ３５に一旦供給し、記憶させる。そして、バッファメモリ３５に記憶された画像データを、離散的コサイン変換、量子化、およびハフマン符号化を組み合わせたＪＰＥＧ方式に従って圧縮する。その後、圧縮した画像データをデータバス４８を介してメモリカード２４に供給する。メモリカード２４は、ＤＳＰ３３より供給された画像データを画像記録領域に記録する。このとき、メモリカード２４の画像記録領域には、撮影日時のデータが上記画像データのヘッダ情報として記録される。
【００４７】
なお、連写モード切り換えスイッチ１３がＳモードに切り換えられている場合においては、レリーズスイッチ１０が押される毎に、１コマの撮影だけが行われる。従って、レリーズスイッチ１０を押し、そのまま継続して押し続けても、１コマの撮影だけが行われる。また、例えば、レリーズスイッチ１０が所定の時間だけ継続して押され続けると、ＬＣＤ６上にいま撮影した画像が表示されるようにすることもできる。
【００４８】
次に、連写モード切り換えスイッチ１３がＬモード（１秒間に８コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、次のようにして、被写体の撮影処理が開始される。
【００４９】
ファインダ２で観察される被写体からの光が撮影レンズ３によって集光され、複数の画素を備えるＣＣＤ２０上に結像する。ＣＣＤ２０に結像した被写体の光画像は、各画素において画像信号に光電変換され、画像処理部３１のＣＤＳによって１秒間に８回の割合でサンプリングされる。また、このとき、ＣＤＳは、ＣＣＤ２０からの全画素に対応する画像電気信号のうち、例えば、その４分の３の画素に相当するものを間引く。
【００５０】
ＣＤＳによってサンプリングされた画像信号（ＣＣＤ２０の全画素中の４分の１の画素の画像信号）は、Ａ／Ｄ変換回路３２に供給され、そこでディジタル化されてＤＳＰ３３に出力される。
【００５１】
ディジタル化された画像データは、ＤＳＰ３３によりバッファメモリ３５に一旦供給され、記憶される。そして、バッファメモリ３５に記憶された画像データは、ＤＳＰ３３により読み出され、ＪＰＥＧ方式に従って圧縮される。圧縮処理された画像データは、データバス４８を介してメモリカード２４に供給され、画像記録領域に記録される。このとき、メモリカード２４の画像記録領域には、撮影日時のデータが、上記画像データのヘッダ情報として記録される。
【００５２】
次に、連写モード切り換えスイッチ１３がＨモード（１秒間に３０コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、次のようにして、被写体の撮影処理が開始される。
【００５３】
ファインダ２で観察される被写体からの光が撮影レンズ３によって集光され、ＣＣＤ２０上に結像する。複数の画素を備えるＣＣＤ２０に結像した被写体の光画像は、各画素において画像信号に光電変換され、画像処理部３１のＣＤＳによって１秒間に３０回の割合でサンプリングされる。また、このとき、ＣＤＳは、ＣＣＤ２０からの全画素に対応する画像電気信号のうち、例えば、その９分の８の画素に相当するものを間引く。
【００５４】
ＣＤＳによってサンプリングされた画像信号（ＣＣＤ２０の全画素中の９分の１の画素の画像信号）は、Ａ／Ｄ変換回路３２に供給され、そこでディジタル化されてＤＳＰ３３に出力される。
【００５５】
ＤＳＰ３３は、ディジタル化された画像データをバッファメモリ３５に一旦供給し、記憶させる。そして、ＤＳＰ３３は、バッファメモリ３５に記憶された画像データを読み出し、ＪＰＥＧ方式に従って圧縮する。このようにして、ディジタル化および圧縮処理された画像データは、データバス４８を介してメモリカード２４に供給され、撮影日時のヘッダ情報とともに、メモリカード２４の画像記録領域に記録される。
【００５６】
なお、被写体の撮影時に、必要に応じてストロボ（発光部）４を動作させ、被写体に光を照射することもできる。その場合、ストロボ駆動回路４１の制御により、ストロボ４が所定のタイミングで発光する。また、赤目現象を抑制するために、赤目軽減ランプ４４を発光させることもできる。その場合、赤目軽減ランプ駆動回路４３の制御により、赤目軽減ランプ４４が所定のタイミングで発光する。
【００５７】
次に、タッチタブレット６Ａを用いて、２次元の情報（ペン入力情報（線画情報））を入力する場合の動作について説明する。タッチタブレット６Ａにペン型指示装置４６のペン先を接触させると、接触した箇所のＸＹ座標に対応するデータがＣＰＵ３６に供給される。ＣＰＵ３６は、このＸＹ座標に対応するデータに基づいて、フレームメモリ４７の上記ＸＹ座標に対応する位置に、例えば、所定の大きさの点に対応する画像データを書き込む。これにより、ＬＣＤ６上の対応する位置に、所定の大きさの点が表示される。
【００５８】
上述したように、ＬＣＤ６の表面上に形成されているタッチタブレット６Ａは、透明部材によって構成されているので、ユーザは、ＬＣＤ６上の、ペン型指示装置４６のペン先でタッチタブレット６Ａを押圧した位置に表示される点を観察することができ、あたかもＬＣＤ６上に直接ペン入力をしたかのように感じることができる。また、ペン型指示装置４６をタッチタブレット６Ａに接触させながら移動させると、ＬＣＤ６上には、ペン型指示装置４６が移動した軌跡に沿って線が表示される。さらに、ペン型指示装置４６をタッチタブレット６Ａ上で断続的に移動させると、ＬＣＤ６上には、ペン型指示装置４６の移動に伴って破線が表示される。以上のようにして、ユーザは、タッチタブレット６Ａ、ＬＣＤ６を用いて、所望の文字、図形等の線画情報を入力することができる。
【００５９】
また、ＬＣＤ６上に画像が表示されている場合において、ペン型指示装置４６によって例えば文字等の線画情報が入力されると、この線画情報がフレームメモリ４７で合成され、画像情報とともにＬＣＤ６上に同時に表示される。
【００６０】
なお、ユーザは、図示せぬ色選択スイッチを操作することにより、ＬＣＤ６上に表示される線画の色を、黒、白、赤、青等の複数の色から選択するようにすることができる。
【００６１】
ペン型指示装置４６とタッチタブレット６Ａによる線画情報の入力後、操作キー７の実行キー７Ｂが押されると、バッファメモリ３５等に一旦蓄積されていた線画情報が、ＤＳＰ３３によって圧縮された後、入力日時のヘッダ情報とともにＣＰＵ制御バス４９を介してメモリカード２４に供給され、メモリカード２４の線画情報記録領域に記録される。
【００６２】
このように、メモリカード２４に記録される線画情報は、圧縮処理が施された情報である。タッチタブレット６Ａによって入力された線画情報は空間周波数成分の高い情報を多く含んでいるので、上記画像の圧縮に用いられるＪＰＥＧ方式によって圧縮処理を行うと、圧縮効率が悪く、情報量があまり少なくならない。また、ＪＰＥＧ方式による圧縮は、非可逆圧縮であるので、情報量の少ない線画情報の圧縮には適していない。これは、伸長してＬＣＤ６上に表示した場合、情報の欠落に伴うギャザ、にじみ等が際だってしまうためである。
【００６３】
そこで、例えば、ファックス等において用いられるランレングス法によって、線画情報を圧縮するようにする。ランレングス法とは、線画を水平方向に走査し、黒、白、赤、青等の各色の情報（点）の継続する長さ、および無情報（ペン入力のない部分）の継続する長さを符号化することにより、線画情報を圧縮する方法である。
【００６４】
このランレングス法を用いることにより、線画情報を効率的に圧縮することができ、また、圧縮された線画情報を伸長した場合においても、情報の欠落を抑制することが可能になる。なお、線画情報の情報量が比較的少ない場合には、それを圧縮しないようにすることもできる。
【００６５】
また、上述したように、ＬＣＤ６上に画像が表示されている場合において、ペン入力を行うと、画像データとペン入力された線画情報がフレームメモリ４７で合成され、画像と線画の合成画像がＬＣＤ６上に表示される。しかしながら、メモリカード２４上においては、画像データは画像記録領域に、線画情報は線画情報記録領域に別々に記録される。このように、２つの情報が、それぞれ異なる領域に記録されるので、ユーザは、画像と線画の合成画像から、いずれか一方だけを削除することができる。また、各画像情報を個別の圧縮方法で圧縮して記録することもできる。
【００６６】
メモリカード２４の音声記録領域、画像記録領域、および線画情報記録領域の少なくともいずれか１つにデータを記録した場合、図５に示すように、記録された情報の一覧を示す一覧表示画面をＬＣＤ６に表示することができる。図５に示すＬＣＤ６の一覧表示画面上においては、情報を記録した時点の年月日（記録年月日）（この場合、１９９５年８月２５日）が画面の下端部に表示され、その記録年月日に記録された情報の記録時刻が画面の最も左側に表示される。
【００６７】
記録時刻の右隣には、画像データが記録されている場合、サムネイル画像が表示される。このサムネイル画像は、メモリカード２４に記録された各画像に対応するビットマップデータを間引くことによって作成された縮小画像である。従って、サムネイル画像が表示されている情報は、画像情報を含む情報である。即ち、「１０時１６分」と「１０時２１分」に記録（入力）された情報には、画像情報が含まれており、「１０時０５分」、「１０時２８分」、「１０時５４分」、「１３時１０分」に記録された情報には、画像情報が含まれていない。
【００６８】
また、メモ記号「＊」は、所定のメモが線画情報として記録されていることを表している。
【００６９】
さらに、サムネイル画像の表示領域の右側には、音声情報バーが表示され、音声が録音された時間に対応する所定の長さを有するバー（線）が表示される。音声情報が記録されていない場合、この音声情報バーは表示されない。
【００７０】
ユーザは、図５に示した画面上において、所望の情報が表示された矩形領域内を、ペン型指示装置４６のペン先で押圧することにより、再生すべき情報を選択指定し、図２に示した実行キー７Ｂをペン型指示装置４６のペン先で押圧することによって、選択した情報の再生を指示する。これにより、選択された情報が出力される。
【００７１】
例えば、図５に示した画面上において、「１０：０５」が表示されている帯状の領域内がペン型指示装置４６によって押圧されると、ＣＰＵ３６は、ＤＳＰ３３に、選択された録音日時（１０時０５分）に対応する音声を再生するように指令する。
【００７２】
ＤＳＰ３３は、ＣＰＵ３６からの指令に従って、メモリカード２４から音声データを読み出し、伸張処理を施した後、Ａ／Ｄ−Ｄ／Ａ変換器３８に供給する。Ａ／Ｄ−Ｄ／Ａ変換器３８は、ＤＳＰ３３より供給された伸張された音声データをアナログ信号に変換した後、スピーカ５より出力させる。なお、イヤホンジャック９に図示せぬイヤホンが接続されている場合においては、スピーカ５からは音声が出力されず、イヤホンより音声が出力される。
【００７３】
メモリカード２４に記録した画像データを再生する場合、ユーザは、所望のサムネイル画像をペン型指示装置４６のペン先で押圧することにより、その情報を選択し、次に、実行キー７Ｂを押すことにより、選択した情報の再生を指示する。
【００７４】
選択されたサムネイル画像に対応する画像データは、ＤＳＰ３３によってメモリカード２４から読み出され、伸長される。伸張された画像データは、ＣＰＵ制御バス４９を介してフレームメモリ４７に供給され、ビットマップデータとして記憶される。次に、フレームメモリ４７に記憶された画像データに対応する制御信号がＬＣＤ６に供給され、対応する画像が表示される。
【００７５】
このとき、音声データも記録されている場合（例えば、記録時刻が「１０：１６」、「１０：２１」の場合）、上述したようにして、スピーカ５またはイヤホンより音声を出力させるようにすることもできる。
【００７６】
次に、図６乃至図８に示したフローチャートを参照して、主に電子カメラ１の記録モードにおける動作について説明する。最初、図６のステップＳ１において、ＣＰＵ３６は、記録モード、再生モード等のモードを示すモードフラグの値を０に設定する。次に、ステップＳ２において、ＣＰＵ３６により、モードフラグの値が判定される。モードフラグの値が０であると判定された場合、ステップＳ４に進み、記録モードにおける処理が実行される。いまの場合、ステップＳ１においてモードフラグの値が０に設定されているので、ステップＳ４に進み、記録モードにおける処理が実行されることになる。
【００７７】
図７は、図６のステップＳ４において実行される記録モードにおける処理の手順を示すフローチャートである。最初に、ステップＳ１１において、ストロボ４を充電する処理が実行される。即ち、ストロボ４が動作するために必要とされる電荷をコンデンサ２２に供給する処理が実行される。
【００７８】
図８は、図７のステップＳ１１において実行される処理の詳細を示すフローチャートである。最初、ステップＳ２１において、タイマ４５のカウント値を０にリセットする。次に、ステップＳ２２において、ストロボ４の充電を開始する処理が行われる。例えば、バッテリ２１とコンデンサ２２とを接続し、バッテリ２１からコンデンサ２２へ電力が供給されるようにする。上述したように、コンデンサ２２はストロボ駆動回路４１を構成し、充電電圧検出回路５３は、コンデンサ２２の充電電圧を検出するようになされている。
【００７９】
ステップＳ２３においては、充電電圧検出回路５３により、ストロボ駆動回路４１を構成するコンデンサ２２の充電電圧が検出され、コンデンサ２２の充電電圧がストロボ４を発光させるために必要な所定の値であるか否かが判定される。コンデンサ２２の充電電圧が所定の値であると判定された場合、ステップＳ２４に進み、例えば、３秒間だけ追加充電を行う。これは、充電電圧検出回路５３の検出精度にばらつきがあるため、それを補償するために行われる。
【００８０】
次に、ステップＳ２５において、ＣＰＵ３６の制御により、充電終了処理が行われる。例えば、ＣＰＵ３６の制御下、ストロボ駆動回路４１はバッテリ２１とコンデンサ２２との間の接続を切り、バッテリ２１からコンデンサ２２への電力の供給を停止させ、リターンする。
【００８１】
一方、ステップＳ２３において、コンデンサ２２の充電電圧が所定値より小さいと判定された場合、ステップＳ２６に進み、記録モードを抜け出す操作がなされたか否かが判定される。例えば、記録モードや再生モードを設定するためのスイッチが操作されたか否かが判定される。記録モードを抜け出す操作がなされたと判定された場合、ステップＳ２７に進み、充電終了処理が実行される。次に、ステップＳ２８において、モードフラグに他のモード（この場合、記録モード以外の再生モード等のモード）に対応する値を設定し、リターンする。
【００８２】
また、ステップＳ２６において、記録モードを抜け出す操作がなされていないと判定された場合、ステップＳ２９に進み、他の操作がなされたか否かが判定される。例えば、レリーズスイッチ１０、録音スイッチ１２、タッチタブレット６Ａ、操作キー７等が操作されたか否かが判定される。他の操作がなされていないと判定された場合、ステップＳ２３に戻り、ステップＳ２３以降の処理が繰り返し実行される。一方、他の操作がなされたと判定された場合、リターンする。
【００８３】
ステップ２５、またはステップＳ２８、またはステップＳ２９の処理が終了し、リターンすると、次に、図７のステップＳ１２に進み、モードフラグの値が判定される。モードフラグの値が０（記録モード）であると判定された場合、ステップＳ１３に進み、図８のステップＳ２９において、所定の処理Ａを実行させるための操作がなされていた場合、処理Ａが実行される。ステップＳ１４においては、図８のステップＳ２９において、所定の処理Ｂを実行させるための操作がなされていた場合、処理Ｂが実行される。
【００８４】
次に、ステップＳ１５において、タイマ４５のカウント値が所定の時間に対応するカウント値より大きいか否かが判定され、タイマ４５のカウント値が所定の基準時間に対応するカウント値より大きいと判定された場合、ステップＳ１１に戻り、ストロボ４の充電処理が再度、実行される。ここでの基準時間は、例えば２分間とすることができる。これにより、ほぼ２分間隔でコンデンサ２２を充電することができ、コンデンサ２２に蓄積された電荷が自然放電され、充電電圧がストロボ４を発光させるために必要とされる基準電圧より低下することを防止することができる。
【００８５】
一方、タイマ４５のカウント値が所定の基準時間に対応するカウント値より小さいかまたは等しいと判定された場合、ステップＳ１２に戻り、ステップＳ１２以降の処理が繰り返し実行される。
【００８６】
また、ステップＳ１２において、モードフラグの値が０以外であると判定された場合、即ち、図８のステップＳ２６において、記録モードを抜け出す操作がなされたと判定され、ステップＳ２８において、モードフラグに他のモード（この場合、記録モード以外のモード）に対応する値（０以外）が設定された場合、リターンし、図６のステップＳ２に戻る。
【００８７】
図８のステップＳ２８において、例えば、モードフラグの値が１（再生モード）に設定された場合、図６のステップＳ２において、モードフラグの値が１であると判定され、ステップＳ３に進み、再生モードにおける処理が実行される。また、図８のステップＳ２８において、モードフラグの値が０および１以外の値に設定された場合、図６のステップＳ２において、モードフラグの値は、０および１以外の値であると判定され、ステップＳ５に進み、その他のモードの処理が実行される。
【００８８】
ステップＳ３における処理、またはステップＳ４における処理、またはステップＳ５における処理が終了すると、ステップＳ２に戻り、ステップＳ２以降の処理が繰り返し実行される。
【００８９】
また、ステップＳ４の記録モードの処理における場合と同様に、ステップＳ３、ステップＳ５において、モードを変更する操作がなされると、リターンし、ステップＳ２に戻り、ステップＳ２以降の処理が繰り返し実行される。
【００９０】
このように、電源スイッチ１１をオンにすると、直ちに記録モードに入るため、ユーザは、電源スイッチ１１をオンにした後、レリーズスイッチ１０を操作することにより、所定の被写体の画像を撮影することができるので、撮影チャンスを逃すことがないようにすることができる。同様に、電源スイッチ１１をオンにした後、録音スイッチ１２を操作することにより、所定の音声を記録することができるので、録音チャンスを逃すことがないようにすることができる。
【００９１】
また、記録モードにおいては、所定の時間間隔でストロボ４への充電が行われているため、所定の被写体を撮影する場合に、ストロボ４への充電が行われていないため、ストロボ４を発光させることができずに撮影チャンスを逃すといったことを抑制することができる。また、記録モード以外のモードでは、ストロボ４への充電が停止されるので、バッテリ２１の無駄な消耗を抑制することができる。
【００９２】
さらに、記録モード以外のモードにおいては、光学ファインダ２内に設けられたファインダ表示回路５１およびファインダ表示素子５２への電力の供給を停止するようにすることができる。また、記録モード以外のモードにおいては、ＣＣＤ２０、画像処理部３１、レンズ駆動回路３０、ＣＣＤ駆動回路３９等の撮像に関連した処理を行う撮像部への電力の供給を停止する。これにより、バッテリ２１の無駄な消耗を抑制することができる。
【００９３】
また、上記実施例で挙げた以外に、記録モード以外のモードにおいては、記録のみに関係する機能の駆動を停止させてよい。例えば、電動ズームレンズを撮影レンズとして使用するカメラ、オートフォーカス機能を有するカメラにおける、撮影レンズのレンズ駆動を停止させるようにしてもよい。
【００９４】
ところで、上述したように、記録モードにおいては、録音スイッチ１２は、マイクロホン８より入力された音声のメモリカード２４への記録の開始を指示する機能を有している。ところが、再生モードにおいては、この録音スイッチ１２は何の機能も有していない状態となる。そこで、再生モードにおいては、録音スイッチ１２が、メモリカード２４に記録された音声データの再生の開始を指示するスイッチ（再生スイッチ）として機能するようにする。
【００９５】
これにより、１つのスイッチに複数の機能を持たせることができ、操作部材の簡略化を行うとともに、操作性を向上させることができる。
【００９６】
なお、上記実施例においては、ファインダ２を光学的なものとしたが、液晶を用いた液晶ファインダを用いるようにすることも可能である。
【００９７】
また、上記実施例においては、マイクロホンを１つだけ設けるようにしたが、マイクロホンを左右に２つ設けるようにし、音声をステレオで記録するようにすることも可能である。
【００９８】
また、上記実施例においては、ペン型指示装置を用いて各種情報を入力するようにしたが、指を用いて入力するようにすることも可能である。
【００９９】
さらに、ＬＣＤ６に表示された表示画面は一例であって、これに限定されるものではなく、様々なレイアウトの画面を用いるようにすることが可能である。同様に、操作キーの種類やレイアウトも一例であって、これに限定されるものではない。
【図面の簡単な説明】
【０１００】
【図１】本発明を適用した電子カメラの一実施例を正面の側から見た斜視図である。
【図２】電子カメラ１を背面の側から見た斜視図である。
【図３】電子カメラ１の内部の構成例を示す図である。
【図４】電子カメラ１の内部の電気的構成例を示すブロック図である。
【図５】電子カメラ１のＬＣＤ６に表示される表示画面例を示す図である。
【図６】電子カメラ１の動作を説明するフローチャートである。
【図７】電子カメラ１の記録モードにおける処理手順を説明するフローチャートである。
【図８】電子カメラ１のストロボ充電の処理手順を説明するフローチャートである。
【符号の説明】
【０１０１】
１  電子カメラ
２  ファインダ
３  撮影レンズ（入力手段、撮像手段、入力駆動手段）
４  発光部（ストロボ）（照明手段）
５  スピーカ
６  ＬＣＤ（表示手段）
６Ａ  タッチタブレット（モード切り換え手段）
７  操作キー
７Ａ  メニューキー
７Ｂ  実行キー
７Ｃ  クリアキー
７Ｄ  キャンセルキー
７Ｅ  スクロールキー
８  マイクロホン（入力手段、音声入力手段、入力駆動手段）
９  イヤホンジャック
１０  レリーズスイッチ
１１  電源スイッチ（指示手段）
１２  録音スイッチ（指示手段）
１３  連写モード切り換えスイッチ
２０  ＣＣＤ（入力手段、撮像手段、入力駆動手段）
２１  バッテリ（電源手段）
２２  コンデンサ（電荷蓄積手段、入力駆動手段）
２３  回路基板
２４  メモリカード（記憶手段）
３０  レンズ駆動回路（撮像手段）
３１  画像処理部（撮像手段）
３２  アナログ／ディジタル変換回路（Ａ／Ｄ）
３３  ディジタルシグナルプロセッサ（ＤＳＰ）（記録再生手段）
３５  バッファメモリ
３６  ＣＰＵ
３８  Ａ／Ｄ−Ｄ／Ａ変換器
３９  ＣＣＤ駆動回路（撮像手段）
４０  検出回路
４１  ストロボ駆動回路
４３  赤目軽減ランプ駆動回路
４４  赤目軽減ランプ
４５  タイマ
４６  ペン型指示装置（モード切り換え手段）
４７  フレームメモリ
４８  データバス
４９  ＣＰＵ制御バス
５１  ファインダ表示回路
５２  ファインダ表示素子
５３  充電電圧検出回路
５０  インタフェース
【図１】
2005065333.tif 000003
【図２】
2005065333.tif 000004
【図３】
2005065333.tif 000005
【図４】
2005065333.tif 000006
【図５】
2005065333.tif 000007
【図６】
2005065333.tif 000008
【図７】
2005065333.tif 000009
【図８】
2005065333.tif 000010